(57)【特許請求の範囲】
【請求項１】
平面視略長方形状でコーナー部が略弧状の浴槽の長辺側内側面に形成された肘置き面に架け渡されるバスボードであって、上面を人体が着座される着座面とする横板部を形成し、該横板部の浴槽の短辺側内側面の背凭れ面に近接配置される側の端縁より下方に向けて下端部が浴槽床に載置される縦板部を突設し、縦板部を突設した端縁と隣接する対向する両端縁の前記縦板部を突設した側と反対側の略半部下面に肘置き面に載置される載置部を形成して成ることを特徴とするバスボード。
【請求項２】
縦板部の略中央部に湯水が通り抜け自在な貫通口を穿設して成ることを特徴とする請求項１記載のバスボード。
【請求項３】
横板部の縦板部を突設した端縁に該縦板部を下側にしてバスボードを立置可能とする突起部を延設して成ることを特徴とする請求項１又は２記載のバスボード。
【請求項４】
横板部の載置部が形成された端縁の浴槽の内側面との対向部に錘部を有するクッション部を設けて成ることを特徴とする請求項１乃至３のいずれかに記載のバスボード。
【請求項５】
横板部の縦板部を突設した端縁と反対側の端縁近傍の下面に錘部を有する補強桟を設けて成ることを特徴とする請求項１乃至４のいずれかに記載のバスボード。
【発明の詳細な説明】
【０００１】
【発明の属する技術分野】
本発明は、浴槽の内側面に形成された肘置き面に架け渡されるバスボードに関するものである。
【０００２】
【従来の技術】
従来より、半身浴をしたりあるいは浴槽底に座ると湯中に沈む子供が座ったりするために、浴槽内に浴槽椅子を沈めてこの浴槽椅子に着座することが広く行われている。
【０００３】
上記従来の浴槽椅子Ａは、図１０に示すように、上面を人体が載置される載置面とした板部３’と、板部３’より下方に向けて突設される複数の脚部４’とで構成され、板部３’には浴槽椅子Ａを湯中に沈め易いように空気抜き用の孔Ｃが複数穿孔してある。この浴槽椅子Ａは、浴槽内に張られた湯中に沈め、脚部４’の下端部を浴槽底に載置して浴槽内に設置するものであるが、板部３’に空気抜き用の孔Ｃを穿孔してあることで、湯中に沈める際に板部３’下面に空気が溜まって大きな浮力が生じないようになっている。
【０００４】
このような浴槽椅子Ａは、容易に湯中に沈めて浴槽内に設置することができ、設置した浴槽椅子Ａの載置面に座ることで大人が半身浴をしたりあるいは子供が湯中に沈まないように座ることができるものである。
【０００５】
しかし、上記のような従来の浴槽椅子Ａにあっては、板部３’より浴槽の中央部側の端部からも脚部４’が突設してあると共に、浴槽椅子Ａ自体が浴槽に沿った形状をしたものではないため、浴槽椅子Ａを浴槽内に安定して設置させることができず浴槽と浴槽椅子Ａとの一体感もないものであり、浴槽内に設置してある浴槽椅子Ａに座った状態から立ち上がる際に、浴槽内の湯中に生じる水流によって浴槽椅子Ａががたついたりするという問題があった。
【０００６】
また、浴槽椅子Ａを浴槽外に保管する場合には保管場所を大きくとってしまい、また、板部３’に複数の空気抜き用の孔Ｃを穿孔してあるため、該孔Ｃにゴミや湯垢が溜まり易いうえに清掃がし難くなってしまうという問題もあった。
【０００７】
そこで、浴槽の対向する内側面に肘置き面が形成してある場合には、浴槽椅子Ａの板部３’の浴槽中央部側端部から脚部を突設せず、この端部側を前記肘置き面に載置することで上記のような問題点を解決することが望まれるものであった。
【０００８】
【発明が解決しようとする課題】
本発明は上記の点に鑑みてなされたものであり、その目的とするところは、浴槽椅子を浴槽内に安定して設置させることができて使用者に浴槽と浴槽椅子との一体感を与え、保管場所を大きくとらず、ゴミや湯垢が溜まり難く清掃がし易いバスボードを提供することを課題とするものである。
【０００９】
【課題を解決するための手段】
上記課題を解決するために本発明に係るバスボードは、平面視略長方形状でコーナー部１３が略弧状の浴槽１の長辺側内側面１１に形成された肘置き面１４に架け渡されるバスボード２であって、上面を人体が着座される着座面３ａとする横板部３を形成し、該横板部３の浴槽１の短辺側内側面１２の背凭れ面１２ａに近接配置される側の端縁より下方に向けて下端部４ａが浴槽１床に載置される縦板部４を突設し、縦板部４を突設した端縁と隣接する対向する両端縁の前記縦板部４を突設した側と反対側の略半部下面に肘置き面１４に載置される載置部５を形成して成ることを特徴とするものである。このような構成とすることで、バスボード２を浴槽１に沿った形状にすると共に肘置き面１４に載置させることで、横板部３の浴槽１の中央部側の端縁からは縦板部のような脚部を突設することなく浴槽１内に安定して設置することができて使用者に浴槽１とバスボード２との一体感を与えることが可能となるものである。
【００１０】
また、縦板部４の略中央部に湯水が通り抜け自在な貫通口４１を穿設することが好ましい。このような構成とすることで、バスボード２を浴槽１内の湯中に沈めて設置する際に縦板部４が湯より大きな抵抗を受けることなくスムーズに設置することができ、浴槽１内の湯中に生じる水流によって縦板部４が受ける力を軽減することが可能となるものである。
【００１１】
また、横板部３の縦板部４を突設した端縁に該縦板部４を下側にしてバスボード２を立置可能とする突起部６を延設することが好ましい。このような構成とすることで、バスボード２を安定して立置することができて、保管場所を大きくとらずに済むようになるものである。
【００１２】
また、横板部３の載置部５が形成された端縁の浴槽１の内側面との対向部に錘部７１を有するクッション部８を設けることが好ましい。このような構成とすることで、浴槽１の内側面と横板部３とが接触して摩耗したりするのを防止すると共に、バスボード２を湯中に沈め易く且つ浴槽１内に設置したバスボード２を安定して設置しておくことが可能となる。
【００１３】
また、横板部３の縦板部４を突設した端縁と反対側の端縁近傍の下面に錘部７１を有する補強桟７を設けることが好ましい。このような構成とすることで、人体が着座するバスボード２の横板部３を補強することができると共に、バスボード２を湯中に沈め易く且つ浴槽１内に設置したバスボード２を安定して設置しておくことが可能となる。
【００１４】
【発明の実施の形態】
以下、本発明を添付図面に示す実施形態に基づいて説明する。
【００１５】
本実施形態におけるバスボード２は、対向する内側面に肘置き面１４が形成してある浴槽１に使用されるものである。
【００１６】
浴槽１は、図５,図６に示すように、上方が開口した平面視略長方形状の略箱状のもので、長辺側内側面１１と短辺側内側面１２とは平面視略弧状のコーナー部１３によって接続される。浴槽１の内部には凹部１０が形成され、この凹部１０内に湯を張って入浴するものである。そして通常は、前記凹部１０内に人が入って湯に浸かる際、平面視略矩形の凹部１０の長手方向に下半身を横たえると共に上半身は短辺側内側面１２にもたれ掛かるものであり、この短辺側内側面１２を背凭れ面１２ａとしてある。そして、背凭れ面１２ａに凭れるようにして浴槽１に身体が横たわった際、両腕を載置して休めることができるように、浴槽１の凹部１０の長辺側内側面１１に夫々段部を形成し、この段部の上面を腕や肘が載置される肘置き面１４としてある。
【００１７】
肘置き面１４は、載置される腕が指先の方に行くほど上方に位置するように、短辺側内側面１２（即ち背凭れ面１２ａ）に近づく程下がる斜面となると共に幅狭となるように形成してある。本発明におけるバスボード２は、通常このようにして腕や肘を載置する肘置き面１４を有効利用し、既設の肘置き面１４に載置するようにしたものである。
【００１８】
バスボード２は、図１乃至図４に示すように、大略長方形状をした横板部３と、該横板部３より下方に向けて突設される縦板部４とからなるものである。
【００１９】
横板部３は、平面視で大略長方形状をしたもので、その対向する短辺側端縁３１を浴槽１の長辺側内側面１１に沿わせると共に、横板部３の一長辺側端縁３２を浴槽１の背凭れ面１２ａに沿うように配置するもので、この横板部３の平面視における形状は浴槽１の平面視における形状と同様の形状、即ち、横板部３の短辺側端縁３１と背凭れ面１２ａに沿う側の長辺側端縁３２は、浴槽１の長辺側内側面１１の背凭れ面１２ａ側の端部、コーナー部１３、浴槽１の背凭れ面１２ａに沿うような形状としてある。横板部３の上面は、人体が着座する着座面３ａとするものである。そして、横板部３の短辺側端縁３１の背凭れ面１２ａと反対側の略半部下面には、肘置き面１４に載置される載置部５がそれぞれ形成される。これにより横板部３は、浴槽１の背凭れ面１２ａ側の端部に、浴槽１の内側面に沿うように肘置き面１４上に載置することができる。本実施形態では、横板部３の短辺側端縁３１の下面にリブ３３が形成され、リブ３３の下面を載置部５としての載置面５ａとするものである。
【００２０】
リブ３３は、側面視略三角形となるように形成してあり、リブ３３の側面視で斜辺にあたる部位の下面は、浴槽１の長辺側内側面１１に形成された肘置き面１４に載置される載置面５ａとなっている。載置面５ａは、リブ３３を浴槽１の肘置き面１４に載置した時に、この肘置き面１４に沿うと共に横板部３の着座面３ａがほぼ水平となるような傾斜に形成してある。
【００２１】
また、横板部３の背凭れ面１２ａに近接配置される側の長辺側端縁３２の下面からは、下方に向けて縦板部４が突設される。縦板部４は、正面視略逆三角形状をした板状のもので、下端部４ａが浴槽床１５に載置される。
【００２２】
ところで、肘置き面１４は、上述したように、長辺側内側面１１に形成するもので、コーナー部１３及び背凭れ面１２ａには形成しないものであり、従って、横板部３を上述したように、浴槽１の背凭れ面１２ａ側の端部に内側面に沿うように長辺側内側面１１に形成された肘置き面１４に載置された際、背凭れ面１２ａに沿う長辺側端縁３２は直接肘置き面１４にて支持されないものである。そこで、このように縦板部４を背凭れ面１２ａに沿うように配置される長辺側端縁３２より縦板部４を突設して支持するようにしたものである。
【００２３】
また、この縦板部４には、略中央部に湯水が通り抜け自在な貫通口４１を穿設してある。このようにすることで、バスボード２を浴槽１内の湯中に沈めて設置する際に縦板部４が湯の抵抗を受けることなくスムーズに設置することができ、また、浴槽１内の湯中に生じる水流によって縦板部４が受ける力を軽減することが可能となる。
【００２４】
また更に、縦板部４の下端面にクッション材４２を設けてある。クッション材４２は、オレフィン系エラストマーで形成され、浴槽床１５と縦板部４とが接触して摩耗したりするのを防止するものである。
【００２５】
また、横板部３の下面には、錘部７１を有する補強桟７を設けてもよい。
【００２６】
補強桟７は、横板部３の縦板部４を突設した端縁と反対側の端縁近傍の下面、即ち、背凭れ面１２ａに近接配置される側の端縁と反対側の端縁の下面に、短辺側端縁３１間に設けるものである。本実施形態では、短辺側端縁３１の下面よりリブ３３が下方に向けて設けてあるので、このリブ３３間に補強桟７の端縁を固定すると共に補強桟７の上面を横板部３に下面にビス等の固着部７２にて固着して取り付けてある。補強桟７は、補強桟７自身を錘部７１として兼用するもので、ＳＵＳで形成されるものである。このようにすることで、人体が着座するバスボード２の横板部３を補強することができると共に、バスボード２を湯中に沈め易く且つ浴槽１内に設置したバスボード２を安定して設置しておくことが可能となる。
【００２７】
横板部３の載置部５が形成された端縁の浴槽１の内側面との対向部には、錘部７１を有するクッション部８を設けてある。クッション部８は、オレフィン系エラストマーで形成され、浴槽１の内側面と横板部３とが接触して摩耗したりするのを防止するものであると共に、錘部７１を有することで、バスボード２を湯中に沈め易く且つ浴槽１内に設置したバスボード２を安定して設置しておくことが可能となる。
【００２８】
横板部３の縦板部４を突設した端縁には、縦板部４を下側にしてバスボード２を立置可能とする突起部６が延設してある。突起部６は、この横板部３の背凭れ面１２ａ側の端縁に二箇所形成してある。このように突起部６を形成することで、バスボード２を安定して立置することができて、保管場所を大きくとらずに済むようになるものである。
【００２９】
このようなバスボード２を使用するには、浴槽１の凹部１０に張ってある湯中に沈めて、バスボード２の短辺側端縁３１の下面に設けてある載置部５を浴槽１の長辺側内側面１１に形成してある肘置き面１４に載置してバスボード２を浴槽１内に設置する。このようにすることで、浴槽１に張ってある湯中において浴槽１底よりも上方に位置して略水平となっているバスボード２の載置面５ａに座ることができて、半身浴をしたりあるいは子供が湯中に沈まないように座って親子で対面入浴等をすることが可能となる。また、バスボード２を使用しない場合は、バスボード２を浴室床面等に立置きすることができる。
【００３０】
以上のような構成のバスボード２にあっては、浴槽１の長辺側内側面１１に夫々形成された肘置き面１４をバスボード２を載置する部位と兼用してバスボード２を浴槽１に設置するようにしたことで、バスボード２を浴槽１に沿った形状にすると共に肘置き面１４に載置させて、横板部３の浴槽１の中央部側の端部からは縦板部４のような脚部を突設することなく浴槽１内に安定して設置することができて使用者に浴槽１とバスボード２との一体感を与えることが可能となり、また、バスボード２を安定して浴槽１内に設置可能であるため、浴槽１内に設置してある浴槽椅子に座った状態から立ち上がる際に、浴槽１内の湯中に生じる水流によって浴槽椅子ががたついたりすることをなくすことができる。
【００３１】
【発明の効果】
上記のように本発明の請求項１記載の発明にあっては、平面視略長方形状でコーナー部が略弧状の浴槽の長辺側内側面に形成された肘置き面に架け渡されるバスボードであって、上面を人体が着座される着座面とする横板部を形成し、該横板部の浴槽の短辺側内側面の背凭れ面に近接配置される側の端縁より下方に向けて下端部が浴槽床に載置される縦板部を突設し、縦板部を突設した端縁と隣接する対向する両端縁の前記縦板部を突設した側と反対側の略半部下面に肘置き面に載置される載置部を形成したので、バスボードを浴槽に沿った形状にすると共に肘置き面に載置させることで、横板部の浴槽の中央部側の端部からは縦板部のような脚部を突設することなく浴槽内に安定して設置することができて使用者に浴槽とバスボードとの一体感を与えることが可能となり、また、バスボードを安定して浴槽内に設置可能であるため、浴槽内に設置してある浴槽椅子に座った状態から立ち上がる際に、浴槽内の湯中に生じる水流によって浴槽椅子ががたついたりすることをなくすことができる。
【００３２】
また請求項２記載の発明にあっては、上記請求項１記載の発明の効果に加えて、縦板部の略中央部に湯水が通り抜け自在な貫通口を穿設したので、バスボードを浴槽内の湯中に沈めて設置する際に縦板部が湯の抵抗を受けることなくスムーズに設置することができ、また、浴槽内の湯中に生じる水流によって縦板部が受ける力を軽減することが可能となるものである。
【００３３】
また請求項３記載の発明にあっては、上記請求項１又は２記載の発明の効果に加えて、横板部の縦板部を突設した端縁に該縦板部を下側にしてバスボードを立置可能とする突起部を延設したので、バスボードを安定して立置することができて、保管場所を大きくとらずに済むようになるものである。
【００３４】
また請求項４記載の発明にあっては、上記請求項１乃至３記載の発明の効果に加えて、横板部の載置部が形成された端縁の浴槽の内側面との対向部に錘部を有するクッション部を設けたので、浴槽の内側面と横板部とが接触して摩耗したりするのを防止すると共に、バスボードを湯中に沈め易く且つ浴槽内に設置したバスボードを安定して設置しておくことが可能となる。
【００３５】
また請求項５記載の発明にあっては、上記請求項１乃至４記載の発明の効果に加えて、横板部の縦板部を突設した端縁と反対側の端縁近傍の下面に錘部を有する補強桟を設けたので、人体が着座するバスボードの横板部を補強することができると共に、バスボードを湯中に沈め易く且つ浴槽内に設置したバスボードを安定して設置しておくことが可能となる。
【図面の簡単な説明】
【図１】本発明の一実施形態の斜視図である。
【図２】同上のバスボードの横板部及び縦板部の下面図である。
【図３】同上の正面図である。
【図４】同上の側面図である。
【図５】同上の実施形態において浴槽にバスボードを設置した状態の斜視図である。
【図６】同上の平面図である。
【図７】同上の実施形態におけるクッション部を示し、（ａ）は側面図であり、（ｂ）は平面図であり、（ｃ）は正面図である。
【図８】同上のクッション部が有する錘部を示し、（ａ）は平面図であり、（ｂ）は正面図である。
【図９】同上の実施形態における補強桟を示し、（ａ）は正面図であり、（ｂ）は平面図であり、（ｃ）は側面図である。
【図１０】従来の浴槽椅子の斜視図である。
【符号の説明】
１  浴槽
１１  長辺側内側面
１２  短辺側内側面
１２ａ  背凭れ面
１３  コーナー部
１４  肘置き面
１５  浴槽床
２  バスボード
３  横板部
３ａ  着座面
４  縦板部
４ａ  下端部
５  載置部
【図１】
0003661611.tif 000002
【図２】
0003661611.tif 000003
【図３】
0003661611.tif 000004
【図４】
0003661611.tif 000005
【図５】
0003661611.tif 000006
【図６】
0003661611.tif 000007
【図７】
0003661611.tif 000008
【図８】
0003661611.tif 000009
【図９】
0003661611.tif 000010
【図１０】
0003661611.tif 000011